(57)【要約】  ３以上の変換比を持ちながらも撮像装置の厚み方向に対し十分に薄いテレコンバータレンズ及び撮像光学系を提供する。テレコンバータレンズＣＬに入射した光束はテレコンバータレンズＣＬ内で対物部により１次結像した後にリレー部を介して主レンズＭＬに入射するようになっており、対物部は被写体側から順に、正の屈折力を有する第１レンズ群ＧＲ１、負の屈折力を有する第２レンズ群ＧＲ２を含み、リレー部は、主レンズ側から順に、正の屈折力を有するＰ２レンズ、光路を折り曲げるための反射光学素子を含む。
2013133053.tif 000002
【特許請求の範囲】
【請求項１】
主レンズより被写体側に装着され、前記主レンズの撮影画角と異なる撮影画角に変換するテレコンバータレンズにおいて、
前記テレコンバータレンズに入射した光束は対物部によって１次結像した後にリレー部を介して前記主レンズに入射するようになっており、
前記対物部は、被写体側から順に配置された、正の屈折力を有する第１レンズ群、負の屈折力を有する第２レンズ群を含み、
前記リレー部は、前記主レンズ側から順に配置された、正の屈折力を有するＰ２レンズ、光路を折り曲げるための反射光学素子を含むことを特徴とするテレコンバータレンズ。
【請求項２】
前記第１レンズ群は正の屈折力を有する２枚のレンズからなることを特徴とする、請求項１に記載のテレコンバータレンズ。
【請求項３】
前記第１レンズ群の正の屈折力を有する２枚のレンズうち、被写体側に位置するレンズは被写体側に凸面を向けた正の屈折力を有するレンズであり、（１）式を満たすことを特徴とする、請求項２に記載のテレコンバータレンズ。
−７  ＜（Ｒ１−Ｒ２）／（Ｒ１＋Ｒ２）＜  −０．２      （１）
ただし、
Ｒ１：前記被写体側に位置するレンズの被写体側面の曲率半径
Ｒ２：前記被写体側に位置するレンズの主レンズ側面の曲率半径
【請求項４】
前記第１レンズ群の正の屈折力を有する２枚のレンズうち、主レンズ側に位置するレンズは被写体側に凸面を向けた正の屈折力を有するメニスカスレンズであり、（２）式を満たすことを特徴とする、請求項２又は３に記載のテレコンバータレンズ。
−０．６５  ＜（Ｒ３−Ｒ４）／（Ｒ３＋Ｒ４）＜  −０．０５    （２）
ただし、
Ｒ３：前記被写体側のレンズの被写体側面の曲率半径
Ｒ４：前記被写体側のレンズの主レンズ側面の曲率半径
【請求項５】
前記第２レンズ群は負の屈折力を有する１枚のレンズからなることを特徴とする、請求項１から４のいずれか一項に記載のテレコンバータレンズ。
【請求項６】
前記第１レンズ群と前記第２レンズ群は（３）式を満たすことを特徴とする請求項１から５のいずれか一項に記載のテレコンバータレンズ。
１．０  ＜｜ｆ１／ｆ２｜＜  ２．０      （３）
但し、
ｆ１：前記第１レンズ群の焦点距離
ｆ２：前記第２レンズ群の焦点距離
【請求項７】
前記第２レンズ群より前記主レンズ側に向かって順に、開口絞り、光路を折り曲げるための前記反射光学素子を有することを特徴とする、請求項１から６のいずれか一項に記載のテレコンバータレンズ。
【請求項８】
前記１次結像した位置より被写体側に向かって最初のレンズは、被写体側に凹面を向けたメニスカスレンズであることを特徴とする、請求項１から７のいずれか一項に記載のテレコンバータレンズ。
【請求項９】
前記テレコンバータレンズは、前記メニスカスレンズより被写体側に向かって最初のレンズに負の屈折力を有するレンズが配置され、前記メニスカスレンズは近軸領域では負の屈折力を持ち光軸から離れた場所では正の屈折力を有することを特徴とする、請求項８に記載のテレコンバータレンズ。
【請求項１０】
前記負の屈折力を有するレンズより被写体側に向かって最初のレンズに、正の屈折力を有するＰ１レンズを配置したことを特徴とする、請求項９に記載のテレコンバータレンズ。
【請求項１１】
前記第２レンズ群の主レンズ側に開口絞りを有し、（４）式を満たすことを特徴とする、請求項１から１０のいずれか一項に記載のテレコンバータレンズ。
０  ＜  ｜ｆＲ／ｆ１２｜  ＜  １．６          （４）
ただし、
ｆＲ：前記開口絞りと前記１次結像した位置の間に位置するレンズの合成焦点距離
ｆ１２：前記第１レンズ群と第２レンズ群の合成焦点距離
【請求項１２】
前記テレコンバータレンズは、（５）式を満たすことを特徴とする、請求項１から１１のいずれか一項に記載のテレコンバータレンズ。
１．２＜ｆＰ２／ｆＲ＜２．５      （５）
但し、
ｆＰ２：前記Ｐ２レンズの焦点距離
ｆＲ：前記１次結像した位置から前記主レンズ側に位置するレンズの合成焦点距離
【請求項１３】
前記１次結像した位置から主レンズ側に配置されている屈折力を有する光学素子は２枚であることを特徴とする、請求項１から１２のいずれか一項に記載のテレコンバータレンズ。
【請求項１４】
光路折り曲げのための反射回数が２回以下であることを特徴とする、請求項１から１３のいずれか一項に記載のテレコンバータレンズ。
【請求項１５】
被写体距離が変化した際の焦点位置ずれを、前記テレコンバータレンズ内の一部のレンズを光軸方向に移動させることで補正することを特徴とする、請求項１から１４のいずれか一項に記載のテレコンバータレンズ。
【請求項１６】
請求項１から１５までのいずれか一項に記載のテレコンバータレンズと主レンズとからなり、（６）式を満たすことを特徴とする撮像光学系。
０．４＜ｆ１／ｆＴＯ＜１．５    （６）
但し、
ｆＴＯ：前記テレコンバータレンズと前記主レンズの合成焦点距離
【発明の詳細な説明】
【技術分野】
【０００１】
本発明は、テレコンバータレンズ及び撮像光学系に関し、特に撮像装置等に備えられた主レンズ前方に装着することにより、撮影画角を望遠側に変化させることのできるテレコンバータレンズ及び撮像光学系に関する。
【背景技術】
【０００２】
例えば撮影機器に設けられた撮影レンズの前方に位置させる事で、撮影レンズの焦点距離を望遠側に変化させることのできるテレコンバータレンズが、特許文献１、２に開示されている。
【先行技術文献】
【特許文献】
【０００３】
【特許文献１】特開２００３−２４１０８７号公報
【特許文献２】特開２０００−１３１６０９号公報
【発明の概要】
【発明が解決しようとする課題】
【０００４】
ところで、近年、スマートフォンをはじめとする携帯端末が発売され、急速に拡大している。かかる携帯端末は、一般的に撮像装置を搭載し、これにより撮像した画像を転送したり、携帯端末上で画像処理を行うなど種々の用い方がなされている。しかるに、一般的な携帯端末は薄形であることから、それに内蔵される撮像装置はコンパクト化が厳しく要求されている。このため、携帯端末に搭載されている撮像装置には単焦点の光学系が搭載されており、単体では困難であるが、ユーザーによっては、遠方の被写体などを大きく撮像したいという希望もあり、例えば特許文献１，２に示すようなテレコンバータレンズを取り付けられないかという要請がある。【０００５】
しかしながら、特許文献１，２のテレコンバータレンズは光学系の全長や径寸法が大きいので、携帯端末の撮像装置における主レンズの被写体側に突き出すようにして取り付けることになり、これにより撮影時の取り扱い性や携帯性に難点が生じていた。【０００６】
本発明は、かかる問題点に鑑み、３以上の変換比を持ちながらも撮像装置の厚み方向に対し十分に薄いテレコンバータレンズ及び撮像光学系を提供することを目的とする。
【課題を解決するための手段】
【０００７】
請求項１に記載のテレコンバータレンズは、主レンズより被写体側に装着され、前記主レンズの撮影画角と異なる撮影画角に変換するテレコンバータレンズにおいて、前記テレコンバータレンズに入射した光束は対物部によって１次結像した後にリレー部を介して前記主レンズに入射するようになっており、前記対物部は、被写体側から順に配置された、正の屈折力を有する第１レンズ群、負の屈折力を有する第２レンズ群を含み、前記リレー部は、前記主レンズ側から順に配置された、正の屈折力を有するＰ２レンズ、光路を折り曲げる反射光学素子を含むことを特徴とする。【０００８】
本発明のテレコンバータレンズは、いわゆるケプラー型と呼ばれる、再結像光学系を採用する事で、１次結像を伴わないガリレオ型に比べ、光学系を小径化する事が出来る。さらにプリズム等の反射光学素子で光路を折り曲げる屈曲光学系とすることで、光学系の径方向を撮像装置の厚み方向に合わせることができ、撮像装置を搭載した装置の薄型化に寄与する。また、被写体側から順に、正の屈折力を有する第１レンズ群と、負の屈折力を有する第２レンズ群の配置とすることにより後側主点位置を被写体側に寄せることが出来、焦点距離に比し全長の短い、小型のテレコンバータレンズを得ることが出来る。また、リレー部に、主レンズ側から順に、正の屈折力を有するＰ２レンズ、反射光学素子と配置することで、主レンズの結像位置から光線を逆追跡した場合、主レンズからの軸外光束を正の屈折力を有するレンズによる屈折で光線高を低く抑えることができ、その後に続く反射光学素子の径も小さく抑えることができ、光学系の小型化に寄与する。特に撮像装置の厚み方向の薄型化に効果的である。【０００９】
請求項２に記載のテレコンバータレンズは、請求項１に記載の発明において、前記第１レンズ群は正の屈折力を有する２枚のレンズからなることを特徴とする。【００１０】
前記第１レンズ群を正の屈折力を有する２枚のレンズ構成とすることで、レンズを１枚としたときよりも屈折力を弱めることが出来、このレンズで発生する諸収差を小さく抑えたり、製造上、形状誤差や組み込み誤差が発生したときの光学性能の変化を小さく抑える事が出来る。【００１１】
請求項３に記載のテレコンバータレンズは、請求項２に記載の発明において、前記第1レンズ群の正の屈折力を有する２枚のレンズうち、被写体側に位置するレンズは被写体側に凸面を向けた正の屈折力を有するレンズであり、（１）式を満たすことを特徴とする。
−７  ＜（Ｒ１−Ｒ２）／（Ｒ１＋Ｒ２）＜  −０．２      （１）
ただし、
Ｒ１：前記被写体側に位置するレンズの被写体側面の曲率半径
Ｒ２：前記被写体側に位置するレンズの主レンズ側面の曲率半径【００１２】
（１）式の下限値を上回ることで、第1レンズ群の被写体側レンズの主レンズ側面への光線入射角が大きくなり過ぎないので、この面で発生する歪曲収差や非点収差、コマ収差等を抑えることができる。また、上限値を下回ることで、当該レンズの被写体側面の曲率半径が小さくなり過ぎないので、この面で発生する歪曲収差や非点収差、コマ収差等を抑えることができる。
なお、前記第1レンズ群の正の屈折力を有する２枚のレンズうち、被写体側に位置するレンズを、被写体側に凸面を向けた正の屈折力を有するメニスカスレンズとし、（１）′式を満たすようにすると、より好ましい。
−０．７  ＜（Ｒ１−Ｒ２）／（Ｒ１＋Ｒ２）＜  −０．２    （１）′【００１３】
請求項４に記載のテレコンバータレンズは、請求項２又は３に記載の発明において、前記第１レンズ群の正の屈折力を有する２枚のレンズうち、主レンズ側に位置するレンズは被写体側に凸面を向けた正の屈折力を有するメニスカスレンズであり、（２）式を満たすことを特徴とする。
−０．６５  ＜（Ｒ３−Ｒ４）／（Ｒ３＋Ｒ４）＜  −０．０５    （２）
ただし、
Ｒ３：前記被写体側のレンズの被写体側面の曲率半径
Ｒ４：前記被写体側のレンズの主レンズ側面の曲率半径【００１４】
（２）式の下限値を上回ることで、第1レンズ群の主レンズ側に位置するレンズの主レンズ側面への光線入射角が大きくなり過ぎないので、この面で発生する歪曲収差や非点収差、コマ収差等を抑えることができる。また、上限値を下回ることで、当該レンズの被写体側面の曲率半径が小さくなり過ぎないので、この面で発生する歪曲収差や非点収差、コマ収差等を抑えることができる。【００１５】
請求項５に記載のテレコンバータレンズは、請求項１から４のいずれかに記載の発明において、前記第２レンズ群は負の屈折力を有する１枚のレンズからなることを特徴とする。【００１６】
上述したように前記第１レンズ群を正の屈折力を有する２枚のレンズ構成とすることで、前記第１レンズ群での収差発生量が小さくなるため、それを打ち消すための前記第２レンズ群は負の屈折力を有する１枚のレンズ構成で十分となる。その結果、光学系の小型化にも繋がる。【００１７】
請求項６に記載のテレコンバータレンズは、請求項１から５のいずれかに記載の発明において、前記第１レンズ群と前記第２レンズ群は（３）式を満たすことを特徴とする。
１．０  ＜｜ｆ１／ｆ２｜＜  ２．０      （３）
但し、
ｆ１：前記第１レンズ群の焦点距離
ｆ２：前記第２レンズ群の焦点距離【００１８】
（３）式の値が下限値を上回ることで、前記第１レンズ群の屈折力が前記第２レンズ群の屈折力より強くなり過ぎないので、正の屈折力を有する前記第１レンズ群で発生するアンダーな球面収差が大きくなり過ぎない等、良好な光学性能が得られる。また製造上、前記第１レンズ群で形状誤差や組み込み誤差が発生したときの光学性能変化を小さく抑える事が出来る。一方、（３）式の値が上限値を下回ることで、前記第２レンズ群の屈折力が前記第１レンズ群の屈折力より強くなり過ぎないので、負の屈折力を有する前記第２レンズ群で発生するオーバーな球面収差が大きくなり過ぎない等、良好な光学性能が得られる。また製造上、前記第２レンズ群で形状誤差や組み込み誤差が発生したときの光学性能変化を小さく抑える事が出来る。【００１９】
請求項７に記載のテレコンバータレンズは、請求項１から６のいずれかに記載の発明において、前記第２レンズ群より前記主レンズ側に向かって順に、開口絞り、光路を折り曲げるための前記反射光学素子を有することを特徴とする。【００２０】
前記開口絞りを、前記第２レンズ群より前記主レンズ側に配置することにより、比較的光線高の低い領域に軸上および軸外光束を集中させることができ、さらにその前記主レンズ側に光路折り曲げ用の前記反射光学素子を設置すれば、前記反射光学素子の径が小さくて済むため、光学系の小型化に寄与する。尚、前記反射光学素子がプリズムであれば、体積を小さく出来るため、光学系の軽量化にも繋がる。但し、ミラー等でも良い。【００２１】
請求項８に記載のテレコンバータレンズは、請求項１から７のいずれかに記載の発明において、前記１次結像した位置より被写体側に向かって最初のレンズは、被写体側に凹面を向けたメニスカスレンズであることを特徴とする。【００２２】
前記１次結像した位置より被写体側に向かって最初のレンズの形状を、被写体側に凹面を向けたメニスカス形状とすることにより、開口絞りに関しコンセントリックに近い形状となるため、このレンズに入射する光線の入射角を比較的小さく抑えられ、その結果、収差発生も小さく抑える事が出来る。【００２３】
請求項９に記載のテレコンバータレンズは、請求項８に記載の発明において、前記テレコンバータレンズは、前記メニスカスレンズより被写体側に向かって最初のレンズに負の屈折力を有するレンズが配置され、前記メニスカスレンズは近軸領域では負の屈折力を持ち光軸から離れた場所では正の屈折力を有することを特徴とする。【００２４】
前記メニスカスレンズより被写体側に負の屈折力を有するレンズを配置することで、この負の屈折力を有するレンズより前の光学系の径を小さく抑えることが出来、光学系の小型化に寄与する。また、前記メニスカスレンズの周辺部の屈折力を正とすることにより、前記負の屈折力を有するレンズで跳ね上げた光線を制御し、前記１次結像点より被写体側の光学系の像高が高くなり過ぎないように出来る。こうすることで前記１次結像点よりも前記主レンズ側の光学系の物体高と比較的低い像高で合わせ込みが可能となる。また、前記メニスカスレンズの光軸付近の屈折力を負とすることで、前記負の屈折力を有するレンズと前記メニスカスレンズの主点間隔が離れるため、両者が同じ屈折力を有していても合成屈折力を強く出来、光学系の小型化に寄与する。【００２５】
請求項１０に記載のテレコンバータレンズは、請求項９に記載の発明において、前記負の屈折力を有するレンズより被写体側に向かって最初のレンズに、正の屈折力を有するＰ１レンズを配置したことを特徴とする。【００２６】
前記Ｐ１レンズを先頭に、正の屈折力を有するレンズ、負の屈折力を有するレンズ、正の屈折力を有するレンズというレンズ配置となり、色収差や球面収差等の諸収差を良好に補正することが出来る。【００２７】
請求項１１に記載のテレコンバータレンズは、請求項１から１０のいずれかに記載の発明において、前記第２レンズ群の主レンズ側に開口絞りを有し、（４）式を満たすことを特徴とする。
０  ＜  ｜ｆＲ／ｆ１２｜  ＜  １．６        （４）
ただし、
ｆＲ：前記開口絞りと前記１次結像した位置の間に位置するレンズの合成焦点距離
ｆ１２：前記第１レンズ群と第２レンズ群の合成焦点距離【００２８】
（４）式の下限値を上回ることで、開口絞りと1次結像点間に位置するレンズ群の合成屈折力が強くなり過ぎないので、タル型の歪曲収差や、短波長側の像高が低くなるような倍率色収差や、さらにアンダーな球面収差等を抑えることができる。また、上限値を下回ることで、開口絞りと1次結像点間に位置するレンズ群の合成屈折力が弱くなり過ぎないので、光学系が大きくなり過ぎずに済む。【００２９】
請求項１２に記載のテレコンバータレンズは、請求項１から１１のいずれかに記載の発明において、前記テレコンバータレンズは、（５）式を満たすことを特徴とする。
１．２＜ｆＰ２／ｆＲ＜２．５      （５）
但し、
ｆＰ２：前記Ｐ２レンズの焦点距離
ｆＲ：前記１次結像した位置から前記主レンズ側に位置するレンズの合成焦点距離【００３０】
（５）式の値が下限値を上回ることで、前記Ｐ２レンズの屈折力が強くなり過ぎないので、ここで発生する諸収差や製造誤差による光学性能の変化を小さく抑えることができる。一方、（５）式の値が上限値を下回ることで、前記Ｐ２レンズの屈折力を確保でき、光学系の大型化を防ぐことができるので好ましい。【００３１】
請求項１３に記載のテレコンバータレンズは、請求項１から１２のいずれかに記載の発明において、前記１次結像した位置から主レンズ側に配置されている屈折力を有する光学素子は２枚以下であることを特徴とする。【００３２】
これにより３枚以上のレンズで構成する時よりも光学系が簡素となり、小型化や軽量化に寄与し、１枚のレンズで構成する時よりも、歪曲収差等の発生量が小さく、良好な光学性能を得ることができる。【００３３】
請求項１４に記載のテレコンバータレンズは、請求項１から１３までのいずれかに記載の発明において、光路折り曲げのための反射回数が２回以下であることを特徴とする。【００３４】
光路折り曲げのための反射回数を２回以下とすることで、構造が複雑になったり、反射面の製造誤差による光学性能の変化が顕著にならず、比較的良好な生産性を確保できる。【００３５】
請求項１５に記載のテレコンバータレンズは、請求項１から１４までのいずれかに記載の発明において、被写体距離が変化した際の焦点位置ずれを、前記テレコンバータレンズ内の一部のレンズを光軸方向に移動させることで補正することを特徴とする。【００３６】
装着した結果、全系の焦点距離が長くなるいわゆるテレコンバータにおいては、前記主レンズのみの繰り出しで合焦する際の合焦可能被写体距離が、前記主レンズ単体時の合焦可能距離よりも遠距離になってしまう。しかし、前記テレコンバータレンズ内のレンズを移動させることにより合焦を行うことができれば、より近い被写体距離での撮影が可能となり、撮影距離の範囲が広がる。【００３７】
請求項１６に記載の撮像光学系は、請求項１から１５までのいずれか一項に記載のテレコンバータレンズと主レンズとからなり、（６）式を満たすことを特徴とする。
０．４＜ｆ１／ｆＴＯ＜１．５    （６）
但し、
ｆＴＯ：前記テレコンバータレンズと前記主レンズの合成焦点距離【００３８】
（６）式の値が下限値を上回ることで、前記第１レンズ群の屈折力が強くなり過ぎないので、ここで発生する諸収差を小さく抑えたり、製造上、形状誤差や組み込み誤差が発生したときの光学性能変化を小さく抑える事が出来る。一方、（６）式の値が上限値を下回ることで、前記第１レンズ群の屈折力が確保でき、光学系の大型化を防ぐことが出来る。
【発明の効果】
【００３９】
本発明によれば、３以上の変換比を持ちながらも撮像装置の厚み方向に対し十分に薄いテレコンバータレンズ及び撮像光学系を提供することができる。
【図面の簡単な説明】
【００４０】
【図１】本実施の形態にかかる撮像光学系を携帯端末に取り付けた状態を示す斜視図である。
【図２】実施例１の撮像光学系の断面図である。
【図３】実施例１の撮像光学系の収差図（球面収差（ａ）、非点収差（ｂ）、歪曲収差（ｃ））である。
【図４】２回折り曲げタイプとした実施例１の撮像光学系の断面図である。
【図５】１回折り曲げタイプとした実施例１の撮像光学系の断面図である。
【図６】実施例２の撮像光学系の断面図である。
【図７】実施例２の撮像光学系の収差図（球面収差（ａ）、非点収差（ｂ）、歪曲収差（ｃ））
【図８】実施例３の撮像光学系の断面図である。
【図９】実施例３の撮像光学系の収差図（球面収差（ａ）、非点収差（ｂ）、歪曲収差（ｃ））である。
【図１０】実施例４の撮像光学系の断面図である。
【図１１】実施例４の撮像光学系の収差図（球面収差（ａ）、非点収差（ｂ）、歪曲収差（ｃ））である。
【図１２】実施例５の撮像光学系の断面図である。
【図１３】実施例５の撮像光学系の収差図（球面収差（ａ）、非点収差（ｂ）、歪曲収差（ｃ））である。
【図１４】実施例６の撮像光学系の断面図である。
【図１５】実施例６の撮像光学系の収差図（球面収差（ａ）、非点収差（ｂ）、歪曲収差（ｃ））である。
【図１６】実施例７の撮像光学系の断面図である。
【図１７】実施例７の撮像光学系収差図（球面収差（ａ）、非点収差（ｂ）、歪曲収差（ｃ））である。
【図１８】実施例８の撮像光学系の断面図である。
【図１９】実施例８の撮像光学系の収差図（球面収差（ａ）、非点収差（ｂ）、歪曲収差（ｃ））である。
【図２０】主レンズの収差図（球面収差（ａ）、非点収差（ｂ）、歪曲収差（ｃ））である。
【発明を実施するための形態】
【００４１】
以下、本発明の実施の形態を図面に基づいて説明する。図１は、本実施の形態にかかる撮像光学系を携帯端末に取り付けた状態を示す斜視図である。例えば薄形のスマートフォンである携帯端末ＳＦは、主レンズＭＬを備えた撮像装置（不図示）を内蔵している。主レンズＭＬは、その被写体側面を携帯端末ＳＦの前方側（図１で手前側）に向けている。
【００４２】
テレコンバータレンズＣＬは、携帯端末ＳＦの矩形板状のボディＢＤに沿って取り付けた細長い筐体ＢＸ内に、配置されている。尚、ボディＢＤと別ユニットとして形成され、ボディＢＤに装着されていても良いし、ボディＢＤの一部であっても良い。テレコンバータレンズＣＬの最も被写体側の面は、本例では筐体ＢＸの一端から被写体側に向かって露出している。一方、テレコンバータレンズＣＬの最も主レンズ側の面は、主レンズＭＬに同軸に対向している。テレコンバータレンズＣＬと主レンズＭＬとで撮像光学系を構成する。
【００４３】
テレコンバータレンズＣＬは対物部とリレー部とで構成され、テレコンバータレンズＣＬに入射した光束はテレコンバータレンズＣＬ内で対物部により１次結像した後にリレー部を介して主レンズＭＬに入射するようになっている。また、コンバータレンズＣＬは光路を折り曲げるための反射光学素子を有している。テレコンバータレンズＣＬ及び主レンズＭＬを通過した被写体光は、不図示の撮像素子に受光されて電気信号に変換される。尚、テレコンバータレンズＣＬを取り外した状態で、主レンズＭＬのみでも被写体を撮像することができるが、テレコンバータレンズＣＬを取り付けることで、より長い焦点距離を備えた撮像光学系となる。
【００４４】
携帯端末ＳＦ背面のモニタ（不図示）は、撮像素子から出力された電気信号に基づいて画像表示を行い、電子ファインダとして機能し、撮像画像を、ほぼリアルタイムに表示する。この状態で、随時、撮影者による入力に基づいて、テレコンバータレンズＣＬ及び／又は主レンズＭＬのレンズ駆動により合焦、露出等が設定される。更に、静止画撮影を行ないたいタイミングで、ユーザーがレリーズ操作を行うことにより、静止画像が撮影される。これにより画像データがメモリに記録される。
【００４５】
なお、上記実施の形態及び各実施例における記述は、本発明に係る好適な例であり、これに限定されるものではない。又、本テレコンバータレンズはデジタルスチルカメラやビデオカメラにも適用可能である。
【００４６】
（実施例）
次に、上述した実施の形態に好適な実施例について説明する。但し、以下に示す実施例により本発明が限定されるものではない。
ｆ：全系の焦点距離
Ｒ  ：曲率半径（ｍｍ）
ｄ  ：軸上面間隔（ｍｍ）
ｎd：レンズ材料のｄ線に対する屈折率
νd：レンズ材料のアッベ数
【００４７】
各実施例において、各面番号の後に「＊」が記載されている面が非球面形状を有する面であり、非球面の形状は、面の頂点を原点とし、光軸方向にＸ軸をとり、光軸と垂直方向の高さをｈとして以下の「数１」で表す。
【００４８】
【数１】
2013133053.tif 000003
ただし、
Ａｉ：ｉ次の非球面係数
Ｒ  ：基準曲率半径
Ｋ  ：円錐定数
【００４９】
なお、請求項ならびに実施例に記載の近軸曲率半径の意味合いについて、実際のレンズ測定の場面においては、レンズ中央近傍(具体的には、レンズ外径に対して10%以内の中央領域)での形状測定値を最小自乗法でフィッティングした際の近似曲率半径を近軸曲率半径であるとみなすことができる。また、例えば2次の非球面係数を使用した場合には、非球面定義式の基準曲率半径に2次の非球面係数も勘案した曲率半径を近軸曲率半径とみなすことができる。（例えば参考文献として、松居吉哉著「レンズ設計法」(共立出版株式会社)のP41〜42を参照のこと）
【００５０】
（実施例１）
実施例１のレンズデータを表１に示す。なお、これ以降（表のレンズデータを含む）において、１０のべき乗数（たとえば２．５×１０-02）を、Ｅ（たとえば２．５Ｅ−０２）を用いて表すものとする。図２は、実施例１の撮像光学系の断面図である。テレコンバータレンズＣＬは、被写体側から順に、正の屈折力を有する第１レンズ群ＧＲ１、負の屈折力を有する第２レンズ群ＧＲ２，及びその他のレンズ群を有する。具体的には、テレコンバータＣＬは、第１レンズ群ＧＲ１を構成する正の屈折力を有する第１レンズＬ１及び正の屈折力を有する第２レンズＬ２と、第３レンズ群ＧＲ３を構成する負の屈折力を有する第３レンズＬ３と、反射光学素子である第１プリズムＰＳ１と、正の屈折力を有するＰ１レンズである第４レンズＬ４と、負の屈折力を有する第５レンズＬ５と、被写体側に凹面を向け近軸領域では負の屈折力を持ち光軸から離れた場所では正の屈折力を有するメニスカスレンズである第６レンズＬ６と、第７レンズＬ７と、反射光学素子である第２プリズムＰＳ２と、正の屈折力を有するＰ２レンズである第８レンズＬ８とからなる。ＭＬは、撮像装置に備えられた主レンズである。又、Ｓは第３レンズＬ３の主レンズ側に設けられた開口絞り、ＩＭは撮像装置の撮像面を示す。なお、第１レンズＬ１〜第６レンズＬ６が対物部であり、第７レンズＬ７〜第８レンズＬ８がリレー部である。また、ＣＧ１〜ＣＧ４は、カバーガラス、光学的ローパスフィルタやＩＲカットフィルタ、固体撮像素子のシールガラス等を想定した平行平板を示す。尚、実施例１のテレコンバータＣＬは、図３に示すように、２つのプリズムＰＳ１、ＰＳ２を用いて光軸２回折り曲げ構造としているが、図４に示すように、第２プリズムＰＳ２のみを用いて光軸１回折り曲げとしても良い。なお、第28面は主レンズの開口絞りである。
【００５１】
［表１］
"実施例1"
テレコンバータレンズｓ１〜ｓ２５，主レンズｓ２６〜ｓ４１（以下の実施例で同じ）
面番号  R(mm)   d(mm)   nd         νd
1       ∞      0.79    1.51633     64.2 
2       ∞      0.20 
3       7.445   0.90    1.72916     54.7 
4       15.893  0.20        
5       4.224   1.11    1.72916     54.7 
6       9.691   0.49        
7       725.834 0.57    1.92286     20.9 
8       4.001   0.38        
9(絞り) ∞      0.42        
10      ∞      4.24    1.84666     23.8 
11      ∞      0.85        
12      16.393  2.04    1.92286     20.9 
13      -7.757  1.22        
14*     -26.786 1.66    1.63469     23.9 
15*     8.994   3.13        
16*     -2.135  2.50    1.54470     56.2 
17*     -4.054  3.59        
18*     10.492  2.80    1.54470     56.2 
19*     -6.542  0.15        
20      ∞      7.00    2.00100     29.1 
21      ∞      0.15        
22*     5.655   1.52    1.54470     56.2 
23*    -47.013  0.20        
24      ∞      0.79    2.00100     29.1 
25      ∞      0.64        
26      ∞      0.79    1.51633     64.1 
27      ∞      1.23        
28      ∞      0.05        
29      ∞     -0.24       
30*     1.676   0.63    1.54470     56.2 
31*     -13.857 0.05        
32*     4.012   0.28    1.63469     23.9 
33*     1.559   0.57        
34*     -36.876 0.31    1.63469     23.9 
35*     -35.075 0.42        
36*     -6.434  0.86    1.54470     56.2 
37*     -0.965  0.23        
38*     -2.637  0.45    1.53048     55.7 
39*     1.582   0.64        
40      ∞      0.30    1.51633     64.1 
41      ∞      0.41        
像 
非球面係数（空欄はゼロとする。以下同じ）              
テレコンバータレンズ                
s   第14面     第15面      第16面      第17面
K   0.000       0.000        -1.488       -0.304 
A4  1.2653E-03  7.3378E-03   -2.0889E-03  -6.1791E-03
A6  9.4618E-05  8.2615E-04    1.0417E-03   5.3651E-04
A8  -6.0000E-05 5.6467E-05    4.9213E-05  -2.0109E-05
A10 -4.3220E-07 -2.7526E-06  -5.6791E-06   5.2590E-07
s   第18面     第19面      第22面      第23面
K   1.632       1.291        -0.305       15.412 
A4  3.4143E-03  5.1838E-03    4.0145E-03  1.3849E-03
A6  -3.5047E-04 -4.1871E-04  -4.9547E-04 -4.3878E-04
A8  1.4928E-06  1.5940E-05    4.6786E-05  4.4472E-05
A10 3.2702E-07  5.4720E-07   -1.2669E-06  4.8628E-06
A12 6.5805E-09  -7.6790E-08  -1.0866E-07 -4.0291E-07
A14 -1.0716E-09  2.3271E-09    5.0067E-08  3.5775E-08
主レンズ                    
s   第30面     第31面     第32面     第33面     第34面
K   -0.025     -29.823      -30.000     -6.295      30.000 
A4  5.4737E-03  2.9864E-02  -4.4484E-02 4.7985E-02  -1.2218E-01
A6  1.8802E-03  3.6878E-02   1.4564E-01  5.1872E-02 -2.6536E-02
A8  -3.1928E-03 -4.3208E-02 -1.2728E-01 -1.8852E-02  6.2354E-02
A10 1.7037E-02  -2.3999E-02 -3.2604E-02 -6.3501E-03  2.0372E-02
A12 -2.1868E-02  2.7062E-02  7.7790E-02 -4.1075E-03  -1.8554E-02
A14 8.4210E-03              -1.8876E-02  2.2070E-02  -6.3386E-04
s   第35面     第36面      第37面     第38面     第39面
K   30.000      7.826        -4.059     -30.000      -12.523 
A4  -1.0027E-01 -3.7724E-04 -4.3185E-02  -1.4223E-02 -3.6784E-02
A6  3.0627E-03  2.0421E-02   5.1578E-02  -1.5539E-03  7.2592E-03
A8  1.9106E-02  -1.1047E-03 -1.1842E-02  2.1085E-03  -1.4441E-03
A10 1.6054E-02  -1.6207E-03  6.5318E-04  -1.9864E-04  1.4444E-04
A12 -2.2771E-03  2.6445E-04  1.9046E-05  -2.5376E-05 -5.0337E-06
A14 -2.7944E-03                           2.8800E-06  3.2341E-08
テレコンバータレンズと主レンズの合成光学系における値                
焦点距離    15.16mm
Fナンバー   4.50            
半画角      11.1゜ 
像高        3.02mm
レンズ全長  43.53mm
バックフォーカス    1.25mm
(ただし、レンズ全長は第1レンズ被写体側面から主レンズ近軸像点までの距離)
主レンズの焦点距離  4.33mm
コンバータ倍率      3.50    
【００５２】
図５は実施例１の収差図（球面収差（ａ）、非点収差（ｂ）、歪曲収差（ｃ））である。ここで、収差図はコンバータレンズと主レンズを組み合わせた状態のものであり、本実施例は図２０に示す収差特性を有する主レンズ（焦点距離４．３３ｍｍ）と組み合わされている。球面収差図において、点線はｇ線、実線はｄ線に対する球面収差量をそれぞれ表す。また、非点収差図において、実線Ｓはサジタル面、点線Ｍはメリディオナル面をそれぞれ表す（以下同じ）。
【００５３】
第１レンズＬ１と第２レンズＬ２を一体に光軸方向に移動させることによって、無限遠から有限距離への合焦を行うことが出来る。ただし、レンズ移動によりピント位置が変化するのであれば、第１レンズと第２レンズ以外のレンズ群の移動であっても良い。又、実施例１のテレコンバータレンズでは、倍率が３．５０であり、１次結像点位置は第６レンズＬ６の主レンズ側面より主レンズ側に、１．８５ｍｍの位置である（近軸値）。
【００５４】
（実施例２）
実施例２のレンズデータを表２に示す。図６は、実施例２の撮像光学系の断面図である。テレコンバータレンズＣＬは、被写体側から順に、正の屈折力を有する第１レンズ群ＧＲ１、負の屈折力を有する第２レンズ群ＧＲ２，及びその他のレンズ群を有する。具体的には、テレコンバータＣＬは、第１レンズ群ＧＲ１を構成する正の屈折力を有する第１レンズＬ１及び正の屈折力を有する第２レンズＬ２と、第３レンズ群ＧＲ３を構成する負の屈折力を有する第３レンズＬ３と、反射光学素子である第１プリズムＰＳ１と、正の屈折力を有するＰ１レンズである第４レンズＬ４と、負の屈折力を有する第５レンズＬ５と、被写体側に凹面を向け近軸領域では負の屈折力を持ち光軸から離れた場所では正の屈折力を有するメニスカスレンズである第６レンズＬ６と、第７レンズＬ７と、反射光学素子である第２プリズムＰＳ２と、正の屈折力を有するＰ２レンズである第８レンズＬ８とからなる。ＭＬは、撮像装置に備えられた主レンズである。又、Ｓは第３レンズＬ３の主レンズ側に設けられた開口絞り、ＩＭは撮像装置の撮像面を示す。なお、第１レンズＬ１〜第６レンズＬ６が対物部であり、第７レンズＬ７〜第８レンズＬ８がリレー部である。また、ＣＧ１〜ＣＧ４は、カバーガラス、光学的ローパスフィルタやＩＲカットフィルタ、固体撮像素子のシールガラス等を想定した平行平板を示す。なお、第28面は主レンズの開口絞りである。
【００５５】
［表２］
"実施例2"
面番号  R(mm)   d(mm)   nd         νd
1       ∞      0.79    1.51633     64.2 
2       ∞      0.50        
3       9.674   0.90    1.72916     54.7 
4       37.884  0.20        
5       4.208   0.99    1.72916     54.7 
6       6.771   0.56        
7       121.695 0.50    1.92286     20.9 
8       4.961   0.32        
9(絞り) ∞      0.65        
10      ∞      4.31    1.84666     23.8 
11      ∞      1.78        
12      12.176  2.55    1.92286     20.9 
13      -10.644 1.02        
14*     -99.000 2.19    1.63469     23.9 
15*     5.276   3.28        
16*     -3.116  2.60    1.54470     56.2 
17*     -5.317  3.34        
18*     13.705  2.85    1.54470     56.2 
19*     -6.083  0.15        
20      ∞      7.24    1.84666     23.8 
21      ∞      0.15        
22*     4.244   1.69    1.54470     56.2 
23*     15.910  0.40        
24      ∞      0.79    1.84666     23.8 
25      ∞      0.64        
26      ∞      0.79    1.51633     64.1 
27      ∞      1.23        
28      ∞      0.05        
29      ∞     -0.24       
30*     1.676   0.63    1.54470     56.2 
31*     -13.857 0.05        
32*     4.012   0.28    1.63469     23.9 
33*     1.559   0.57        
34*     -36.876 0.31    1.63469     23.9 
35*     -35.075 0.42        
36*     -6.434  0.86    1.54470     56.2 
37*     -0.965  0.23        
38*     -2.637  0.45    1.53048     55.7 
39*     1.582   0.64        
40      ∞      0.30    1.51633     64.1 
41      ∞      0.41        
像 
非球面係数              
テレコンバータレンズ                
s   第14面     第15面      第16面     第17面
K   0.000       0.000       -0.599       0.180 
A4  -1.2952E-03 8.5528E-04  -7.1741E-03 -6.8174E-03
A6  3.2421E-04  1.2656E-03   1.2247E-03  3.8759E-04
A8  -7.5611E-05 -8.7518E-05  8.6228E-05  -1.6273E-05
A10 4.5322E-06  1.2282E-05  -7.0413E-06  7.0750E-07
s   第18面     第19面     第22面     第23面
K   3.732       0.649      -0.184       17.000 
A4  3.2433E-03  6.2426E-03  4.7592E-03  7.9938E-04
A6  -2.8775E-04 -4.4968E-04 -5.9127E-04 -3.5548E-04
A8  1.7421E-06  1.1946E-05  8.0253E-05  2.6455E-05
A10 5.0124E-07  1.1637E-06  -2.5435E-06 2.5101E-06
A12 -4.1954E-09 -9.1035E-08 -7.2530E-07 -1.8488E-06
A14 -7.1032E-10 1.8637E-09  4.2657E-08  1.6127E-07
主レンズ                    
s   第30面     第31面      第32面    第33面      第34面
K   -0.025     -29.823      -30.000     -6.295       30.000 
A4  5.4737E-03  2.9864E-02  -4.4484E-02 4.7985E-02  -1.2218E-01
A6  1.8802E-03  3.6878E-02   1.4564E-01  5.1872E-02  -2.6536E-02
A8  -3.1928E-03 -4.3208E-02 -1.2728E-01 -1.8852E-02   6.2354E-02
A10 1.7037E-02  -2.3999E-02 -3.2604E-02 -6.3501E-03   2.0372E-02
A12 -2.1868E-02  2.7062E-02  7.7790E-02  -4.1075E-03 -1.8554E-02
A14 8.4210E-03              -1.8876E-02  2.2070E-02  -6.3386E-04
s   第35面     第36面      第37面     第38面     第39面
K   30.000      7.826       -4.059      -30.000     -12.523 
A4  -1.0027E-01 -3.7724E-04 -4.3185E-02 -1.4223E-02 -3.6784E-02
A6  3.0627E-03   2.0421E-02  5.1578E-02  -1.5539E-03 7.2592E-03
A8  1.9106E-02  -1.1047E-03 -1.1842E-02  2.1085E-03  -1.4441E-03
A10 1.6054E-02  -1.6207E-03  6.5318E-04 -1.9864E-04  1.4444E-04
A12 -2.2771E-03  2.6445E-04  1.9046E-05  -2.5376E-05 -5.0337E-06
A14 -2.7944E-03                           2.8800E-06  3.2341E-08
テレコンバータレンズと主レンズの合成光学系における値
焦点距離       15.16mm
Fナンバー      4.50
半画角         11.1゜
像高           3.02mm
レンズ全長     46.07mm
バックフォーカス       1.25mm
(ただし、レンズ全長は第1レンズ被写体側面から主レンズ近軸像点までの距離)              
主レンズの焦点距離     4.33mm
コンバータ倍率         3.50
【００５６】
図７は実施例２の収差図（球面収差（ａ）、非点収差（ｂ）、歪曲収差（ｃ））である。収差図はコンバータレンズと主レンズを組み合わせた状態のものであり、本実施例は図２０に示す収差特性を有する主レンズと組み合わされている。
【００５７】
第１レンズＬ１と第２レンズＬ２を一体に光軸方向に移動させることによって、無限遠から有限距離への合焦を行うことが出来る。ただし、レンズ移動によりピント位置が変化するのであれば、第１レンズと第２レンズ以外のレンズ群の移動であっても良い。又、実施例２のテレコンバータレンズでは、倍率が３．５０であり、１次結像点位置は第６レンズ主レンズ側面より主レンズ側に、１．３７ｍｍの位置である（近軸値）。
【００５８】
（実施例３）
実施例３のレンズデータを表３に示す。図８は、実施例３の撮像光学系の断面図である。テレコンバータレンズＣＬは、被写体側から順に、正の屈折力を有する第１レンズ群ＧＲ１、負の屈折力を有する第２レンズ群ＧＲ２，及びその他のレンズ群を有する。具体的には、テレコンバータＣＬは、第１レンズ群ＧＲ１を構成する正の屈折力を有する第１レンズＬ１及び正の屈折力を有する第２レンズＬ２と、第３レンズ群ＧＲ３を構成する負の屈折力を有する第３レンズＬ３と、反射光学素子である第１プリズムＰＳ１と、正の屈折力を有するＰ１レンズである第４レンズＬ４と、負の屈折力を有する第５レンズＬ５と、被写体側に凹面を向け近軸領域では負の屈折力を持ち光軸から離れた場所では正の屈折力を有するメニスカスレンズである第６レンズＬ６と、第７レンズＬ７と、反射光学素子である第２プリズムＰＳ２と、正の屈折力を有するＰ２レンズである第８レンズＬ８とからなる。ＭＬは、撮像装置に備えられた主レンズである。又、Ｓは第３レンズＬ３の主レンズ側に設けられた開口絞り、ＩＭは撮像装置の撮像面を示す。なお、第１レンズＬ１〜第６レンズＬ６が対物部であり、第７レンズＬ７〜第８レンズＬ８がリレー部である。また、ＣＧ１〜ＣＧ４は、カバーガラス、光学的ローパスフィルタやＩＲカットフィルタ、固体撮像素子のシールガラス等を想定した平行平板を示す。なお、第28面は主レンズの開口絞りである。
【００５９】
［表３］
"実施例3"  
面番号  R(mm)   d(mm)   nd         νd
1       ∞      0.79    1.51633     64.2 
2       ∞      0.50        
3       9.108   0.90    1.66062     57.4 
4       19.413  0.20        
5       5.239   1.09    1.63784     58.4 
6       6.361   0.80        
7       -14.403 1.58    1.92286     20.9 
8       33.725  0.20        
9(絞り) ∞      1.03        
10      ∞      4.70    1.84666     23.8 
11      ∞      6.16        
12      7.638   2.55    1.89181     31.3 
13      -46.278 1.70        
14*     -99.000 2.57    1.63469     23.9 
15*     5.602   3.15        
16*     -3.542  2.60    1.54470     56.2 
17*     -6.638  3.66        
18*     13.515  2.74    1.54470     56.2 
19*     -6.296  0.15        
20      ∞      7.23    1.84666     23.8 
21      ∞      0.15        
22*     4.322   1.64    1.54470     56.2 
23*     14.558  0.38        
24      ∞      0.79    1.84666     23.8 
25      ∞      0.64        
26      ∞      0.79    1.51633     64.1 
27      ∞      1.23        
28      ∞      0.05        
29      ∞     -0.24       
30*     1.676   0.63    1.54470     56.2 
31*     -13.857 0.05        
32*     4.012   0.28    1.63469     23.9 
33*     1.559   0.57        
34*     -36.876 0.31    1.63469     23.9 
35*     -35.075 0.42        
36*     -6.434  0.86    1.54470     56.2 
37*     -0.965  0.23        
38*     -2.637  0.45    1.53048     55.7 
39*     1.582   0.64        
40      ∞      0.30    1.51633     64.1 
41      ∞      0.42        
像  
非球面係数              
テレコンバータレンズ                
s   第14面     第15面      第16面     第17面
K   0.000       0.000       -0.599       0.180 
A4  -1.2952E-03 8.5528E-04  -7.1741E-03 -6.8174E-03
A6  3.2421E-04  1.2656E-03   1.2247E-03  3.8759E-04
A8  -7.5611E-05 -8.7518E-05  8.6228E-05 -1.6273E-05
A10 4.5322E-06  1.2282E-05  -7.0413E-06  7.0750E-07
s   第18面     第19面      第22面      第23面
K   3.732       0.649       -0.184       17.000 
A4  3.2433E-03  6.2426E-03  4.7592E-03  7.9938E-04
A6  -2.8775E-04 -4.4968E-04 -5.9127E-04 -3.5548E-04
A8  1.7421E-06  1.1946E-05  8.0253E-05  2.6455E-05
A10 5.0124E-07  1.1637E-06  -2.5435E-06 2.5101E-06
A12 -4.1954E-09 -9.1035E-08 -7.2530E-07 -1.8488E-06
A14 -7.1032E-10  1.8637E-09  4.2657E-08  1.6127E-07
主レンズ                    
s   第30面     第31面     第32面     第33面     第34面
K   -0.025     -29.823     -30.000     -6.295       30.000 
A4  5.4737E-03  2.9864E-02  -4.4484E-02 4.7985E-02  -1.2218E-01
A6  1.8802E-03  3.6878E-02  1.4564E-01  5.1872E-02  -2.6536E-02
A8  -3.1928E-03 -4.3208E-02 -1.2728E-01 -1.8852E-02  6.2354E-02
A10 1.7037E-02  -2.3999E-02 -3.2604E-02 -6.3501E-03  2.0372E-02
A12 -2.1868E-02 2.7062E-02  7.7790E-02  -4.1075E-03 -1.8554E-02
A14 8.4210E-03             -1.8876E-02   2.2070E-02  -6.3386E-04
s   第35面      第36面     第37面     第38面     第39面
K   30.000      7.826       -4.059      -30.000     -12.523 
A4  -1.0027E-01 -3.7724E-04 -4.3185E-02 -1.4223E-02 -3.6784E-02
A6  3.0627E-03  2.0421E-02   5.1578E-02  -1.5539E-03 7.2592E-03
A8  1.9106E-02  -1.1047E-03 -1.1842E-02  2.1085E-03  -1.4441E-03
A10 1.6054E-02  -1.6207E-03  6.5318E-04  -1.9864E-04 1.4444E-04
A12 -2.2771E-03  2.6445E-04  1.9046E-05  -2.5376E-05 -5.0337E-06
A14 -2.7944E-03                           2.8800E-06  3.2341E-08
テレコンバータレンズと主レンズの合成光学系における値                
焦点距離    15.16mm 
Fナンバー   4.50            
半画角      11.1゜
像高        3.02mm 
レンズ全長  53.57mm
バックフォーカス    1.26mm
(ただし、レンズ全長は第1レンズ被写体側面から主レンズ近軸像点までの距離)
主レンズの焦点距離  4.33mm
コンバータ倍率      3.50    
【００６０】
図９は実施例３の収差図（球面収差（ａ）、非点収差（ｂ）、歪曲収差（ｃ））である。収差図はコンバータレンズと主レンズを組み合わせた状態のものであり、本実施例は図２０に示す収差特性を有する主レンズと組み合わされている。
【００６１】
第１レンズと第２レンズを一体に光軸方向に移動させることによって、無限遠から有限距離への合焦を行うことが出来る。ただし、レンズ移動によりピント位置が変化するのであれば、第１レンズと第２レンズ以外のレンズ群の移動であっても良い。又、実施例３のテレコンバータレンズでは、倍率が３．５０であり、１次結像点位置は第６レンズ主レンズ側面より主レンズ側に、１．３９ｍｍの位置である（近軸値）。
【００６２】
（実施例４）
実施例４のレンズデータを表４に示す。図１０は、実施例４の撮像光学系の断面図である。テレコンバータレンズＣＬは、被写体側から順に、正の屈折力を有する第１レンズ群ＧＲ１、負の屈折力を有する第２レンズ群ＧＲ２，及びその他のレンズ群を有する。具体的には、テレコンバータＣＬは、第１レンズ群ＧＲ１を構成する正の屈折力を有する第１レンズＬ１及び正の屈折力を有する第２レンズＬ２と、第３レンズ群ＧＲ３を構成する負の屈折力を有する第３レンズＬ３と、反射光学素子である第１プリズムＰＳ１と、正の屈折力を有するＰ１レンズである第４レンズＬ４と、負の屈折力を有する第５レンズＬ５と、被写体側に凹面を向け近軸領域では負の屈折力を持ち光軸から離れた場所では正の屈折力を有するメニスカスレンズである第６レンズＬ６と、第７レンズＬ７と、反射光学素子である第２プリズムＰＳ２と、正の屈折力を有するＰ２レンズである第８レンズＬ８とからなる。ＭＬは、撮像装置に備えられた主レンズである。又、Ｓは第３レンズＬ３の主レンズ側に設けられた開口絞り、ＩＭは撮像装置の撮像面を示す。なお、第１レンズＬ１〜第６レンズＬ６が対物部であり、第７レンズＬ７〜第８レンズＬ８がリレー部である。また、ＣＧ１〜ＣＧ４は、カバーガラス、光学的ローパスフィルタやＩＲカットフィルタ、固体撮像素子のシールガラス等を想定した平行平板を示す。なお、第28面は主レンズの開口絞りである。
【００６３】
［表４］
"実施例4"                 
面番号  R(mm)   d(mm)   nd         νd
1       ∞      0.79    1.51633     64.2 
2       ∞      0.50        
3       8.519   0.90    1.72916     54.7 
4       20.594  0.20        
5       4.172   0.95    1.72916     54.7 
6       6.557   0.62        
7      -267.495 0.50    1.92286     20.9 
8       5.719   0.30        
9(絞り) ∞      2.27        
10      ∞      4.89    1.84666     23.8 
11      ∞      0.53        
12      12.867  2.55    1.92286     20.9 
13      -9.981  1.11        
14*     -23.660 2.58    1.63469     23.9 
15*     5.141   3.31        
16*     -3.703  2.60    1.54470     56.2 
17*     -5.688  4.04        
18*     17.509  2.85    1.54470     56.2 
19*     -4.640  0.15        
20      ∞      7.31    1.84666     23.8 
21      ∞      0.15        
22*     6.780   1.84    1.54470     56.2 
23*     37.922  0.44        
24      ∞      0.79    1.84666     23.8 
25      ∞      0.64        
26      ∞      0.79    1.51633     64.1 
27      ∞      1.23        
28      ∞      0.05        
29      ∞     -0.24       
30*     1.676   0.63    1.54470     56.2 
31*     -13.857 0.05        
32*     4.012   0.28    1.63469     23.9 
33*     1.559   0.57        
34*     -36.876 0.31    1.63469     23.9 
35*     -35.075 0.42        
36*     -6.434  0.86    1.54470     56.2 
37*     -0.965  0.23        
38*     -2.637  0.45    1.53048     55.7 
39*     1.582   0.64        
40      ∞      0.30    1.51633     64.1 
41      ∞      0.42    
像 
非球面係数              
テレコンバータレンズ                
s   第14面      第15面     第16面     第17面
K   0.000        0.000       -0.451     -0.162 
A4  -3.0124E-03 -1.5265E-03 -7.9825E-03 -7.9388E-03
A6  2.3042E-04  1.1506E-03  1.0251E-03  4.8652E-04
A8  -7.7949E-05 -1.9275E-04 7.1990E-05  -2.1843E-05
A10 6.2024E-06  2.5182E-05  -5.4198E-06  6.8142E-07
s   第18面      第19面     第22面      第23面
K   5.212       -0.215      1.520         17.000 
A4  3.1868E-03  6.9127E-03  1.2449E-02  8.0530E-03
A6  -2.9647E-04 -4.0052E-04 -9.9874E-04 -5.0850E-04
A8  3.2622E-06  1.1608E-05  9.9198E-05  -2.7746E-05
A10 5.6256E-07  1.1605E-06  -1.7121E-06  8.4937E-07
A12 -2.4658E-09 -9.3000E-08 -7.0787E-07 -1.2975E-06
A14 -8.9289E-10 1.7579E-09  2.1451E-08  1.5047E-07
主レンズ                    
s   第30面     第31面     第32面     第33面     第34面
K   -0.025     -29.823     -30.000     -6.295       30.000 
A4  5.4737E-03  2.9864E-02  -4.4484E-02 4.7985E-02  -1.2218E-01
A6  1.8802E-03  3.6878E-02  1.4564E-01  5.1872E-02  -2.6536E-02
A8  -3.1928E-03 -4.3208E-02 -1.2728E-01 -1.8852E-02  6.2354E-02
A10 1.7037E-02  -2.3999E-02 -3.2604E-02 -6.3501E-03  2.0372E-02
A12 -2.1868E-02 2.7062E-02  7.7790E-02  -4.1075E-03 -1.8554E-02
A14 8.4210E-03             -1.8876E-02   2.2070E-02  -6.3386E-04
s   第35面      第36面     第37面     第38面     第39面
K   30.000      7.826       -4.059      -30.000     -12.523 
A4  -1.0027E-01 -3.7724E-04 -4.3185E-02 -1.4223E-02 -3.6784E-02
A6  3.0627E-03  2.0421E-02  5.1578E-02  -1.5539E-03  7.2592E-03
A8  1.9106E-02  -1.1047E-03 -1.1842E-02 2.1085E-03  -1.4441E-03
A10 1.6054E-02  -1.6207E-03 6.5318E-04  -1.9864E-04  1.4444E-04
A12 -2.2771E-03  2.6445E-04  1.9046E-05  -2.5376E-05 -5.0337E-06
A14 -2.7944E-03                           2.8800E-06  3.2341E-08
テレコンバータレンズと主レンズの合成光学系における値                
焦点距離    15.99mm
Fナンバー   4.50            
半画角      10.5゜ 
像高        3.02mm
レンズ全長  48.51mm
バックフォーカス    1.26mm
(ただし、レンズ全長は第1レンズ被写体側面から主レンズ近軸像点までの距離) 
主レンズの焦点距離  4.33mm
コンバータ倍率      3.69    
【００６４】
図１１は実施例４の収差図（球面収差（ａ）、非点収差（ｂ）、歪曲収差（ｃ））である。収差図はコンバータレンズと主レンズを組み合わせた状態のものであり、本実施例は図２０に示す収差特性を有する主レンズと組み合わされている。
【００６５】
第１レンズと第２レンズを一体に光軸方向に移動させることによって、無限遠から有限距離への合焦を行うことが出来る。ただし、レンズ移動によりピントが変化するのであれば、前記第１レンズと第２レンズ以外のレンズ群移動であっても良い。又、実施例４のテレコンバータレンズでは、倍率が３．６９であり、１次結像点位置は第６レンズＬ６の主レンズ側面より主レンズ側に、１．４０ｍｍの位置である（近軸値）。
【００６６】
（実施例５）
実施例５のレンズデータを表５に示す。図１２は、実施例５の撮像光学系の断面図である。テレコンバータレンズＣＬは、被写体側から順に、正の屈折力を有する第１レンズ群ＧＲ１、負の屈折力を有する第２レンズ群ＧＲ２，及びその他のレンズ群を有する。具体的には、テレコンバータＣＬは、第１レンズ群ＧＲ１を構成する正の屈折力を有する第１レンズＬ１及び正の屈折力を有する第２レンズＬ２と、第３レンズ群ＧＲ３を構成する負の屈折力を有する第３レンズＬ３と、反射光学素子である第１プリズムＰＳ１と、正の屈折力を有するＰ１レンズである第４レンズＬ４と、負の屈折力を有する第５レンズＬ５と、被写体側に凹面を向け近軸領域では負の屈折力を持ち光軸から離れた場所では正の屈折力を有するメニスカスレンズである第６レンズＬ６と、第７レンズＬ７と、反射光学素子である第２プリズムＰＳ２と、正の屈折力を有するＰ２レンズである第８レンズＬ８とからなる。ＭＬは、撮像装置に備えられた主レンズである。又、Ｓは第３レンズＬ３の主レンズ側に設けられた開口絞り、ＩＭは撮像装置の撮像面を示す。なお、第１レンズＬ１〜第６レンズＬ６が対物部であり、第７レンズＬ７〜第８レンズＬ８がリレー部である。また、ＣＧ１〜ＣＧ４は、カバーガラス、光学的ローパスフィルタやＩＲカットフィルタ、固体撮像素子のシールガラス等を想定した平行平板を示す。なお、第28面は主レンズの開口絞りである。
【００６７】
［表５］
"実施例5"                    
面番号  R(mm)   d(mm)   nd         νd
1       ∞      0.79    1.51633     64.2 
2       ∞      0.50        
3       8.964   0.90    1.72916     54.7 
4       23.725  0.20        
5       4.243   0.91    1.72916     54.7 
6       7.201   0.54        
7       85.071  0.50    1.92286     20.9 
8       4.856   0.34        
9(絞り) ∞      1.15        
10      ∞      4.64    1.84666     23.8 
11      ∞      0.60        
12      15.730  2.55    1.92286     20.9 
13      -9.548  1.05        
14*     -98.982 2.56    1.63469     23.9 
15*     5.621   3.33        
16*     -3.119  2.60    1.54470     56.2 
17*     -4.046  4.96        
18*     -59.213 1.96    1.54470     56.2 
19*     -8.119  0.15        
20      ∞      7.25    1.84666     23.8 
21      ∞      0.15        
22*     3.815   2.00    1.54470     56.2 
23*     37.717  0.37        
24      ∞      0.79    1.84666     23.8 
25      ∞      0.64        
26      ∞      0.79    1.51633     64.1 
27      ∞      1.23        
28      ∞      0.05        
29      ∞     -0.24       
30*     1.676   0.63    1.54470     56.2 
31*     -13.857 0.05        
32*     4.012   0.28    1.63469     23.9 
33*     1.559   0.57        
34*     -36.876 0.31    1.63469     23.9 
35*     -35.075 0.42        
36*     -6.434  0.86    1.54470     56.2 
37*     -0.965  0.23        
38*     -2.637  0.45    1.53048     55.7 
39*     1.582   0.64        
40      ∞      0.30    1.51633     64.1 
41      ∞      0.41        
像 
非球面係数              
テレコンバータレンズ                
s   第14面      第15面     第16面     第17面
K   0.000        0.000       -0.648     -0.376 
A4  -1.7502E-03 -3.8829E-04 -7.1801E-03 -5.7284E-03
A6  3.4986E-04  1.5590E-03   1.2821E-03  3.5118E-04
A8  -7.4598E-05 -1.4306E-04  7.6438E-05  -1.5886E-05
A10 4.5001E-06   1.4830E-05  -6.9031E-06 9.1729E-07
s   第18面     第19面     第22面     第23面
K   -16.491     2.321      -1.081      -13.830 
A4  5.0880E-03  3.1647E-03  1.9041E-03  7.1722E-04
A6  -3.7168E-04 -3.5509E-04 -3.1907E-04 -3.9225E-04
A8  3.2113E-07  1.4161E-05  6.4371E-05  7.2980E-05
A10 8.9242E-07  1.0326E-06  -1.6071E-06 5.8979E-06
A12 2.1734E-09  -9.6862E-08 -4.3979E-07 -1.5277E-06
A14 -1.9106E-09  2.0642E-09  5.7652E-08  1.3454E-07
主レンズ                    
s   第30面      第31面     第32面    第33面     第34面
K   -0.025     -29.823      -30.000     -6.295      30.000 
A4  5.4737E-03  2.9864E-02  -4.4484E-02 4.7985E-02  -1.2218E-01
A6  1.8802E-03  3.6878E-02  1.4564E-01  5.1872E-02  -2.6536E-02
A8  -3.1928E-03 -4.3208E-02 -1.2728E-01 -1.8852E-02 6.2354E-02
A10 1.7037E-02  -2.3999E-02 -3.2604E-02 -6.3501E-03 2.0372E-02
A12 -2.1868E-02 2.7062E-02  7.7790E-02  -4.1075E-03 -1.8554E-02
A14 8.4210E-03              -1.8876E-02  2.2070E-02 -6.3386E-04
s   第35面      第36面      第37面    第38面     第39面
K   30.000       7.826       -4.059      -30.000     -12.523 
A4  -1.0027E-01 -3.7724E-04 -4.3185E-02 -1.4223E-02 -3.6784E-02
A6  3.0627E-03  2.0421E-02  5.1578E-02  -1.5539E-03 7.2592E-03
A8  1.9106E-02  -1.1047E-03 -1.1842E-02 2.1085E-03  -1.4441E-03
A10 1.6054E-02  -1.6207E-03  6.5318E-04  -1.9864E-04 1.4444E-04
A12 -2.2771E-03  2.6445E-04  1.9046E-05  -2.5376E-05 -5.0337E-06
A14 -2.7944E-03                           2.8800E-06  3.2341E-08
テレコンバータレンズと主レンズの合成光学系における値          
焦点距離    15.16mm
Fナンバー   4.50
半画角       11.1゜
像高         3.02mm
レンズ全長  47.11mm
バックフォーカス    1.26mm
(ただし、レンズ全長は第1レンズ被写体側面から主レンズ近軸像点までの距離)
主レンズの焦点距離  4.33mm
コンバータ倍率      3.50    
【００６８】
図１３は実施例５の収差図（球面収差（ａ）、非点収差（ｂ）、歪曲収差（ｃ））である。収差図はコンバータレンズと主レンズを組み合わせた状態のものであり、本実施例は図２０に示す収差特性を有する主レンズと組み合わされている。
【００６９】
第１レンズと第２レンズを一体に光軸方向に移動させることによって、無限遠から有限距離への合焦を行うことが出来る。ただし、レンズ移動によりピントが変化するのであれば、前記第１レンズと第２レンズ以外のレンズ群移動であっても良い。又、実施例５のテレコンバータレンズでは、倍率が３．５０であり、１次結像点位置は第６レンズＬ６の主レンズ側面より主レンズ側に、３．３７ｍｍの位置である（近軸値）。
【００７０】
（実施例６）
実施例６のレンズデータを表６に示す。図１４は、実施例６の撮像光学系の断面図である。テレコンバータレンズＣＬは、被写体側から順に、正の屈折力を有する第１レンズ群ＧＲ１、負の屈折力を有する第２レンズ群ＧＲ２，及びその他のレンズ群を有する。具体的には、テレコンバータＣＬは、第１レンズ群ＧＲ１を構成する正の屈折力を有する第１レンズＬ１及び正の屈折力を有する第２レンズＬ２と、第３レンズ群ＧＲ３を構成する負の屈折力を有する第３レンズＬ３と、反射光学素子である第１プリズムＰＳ１と、正の屈折力を有するＰ１レンズである第４レンズＬ４と、負の屈折力を有する第５レンズＬ５と、被写体側に凹面を向け近軸領域では負の屈折力を持ち光軸から離れた場所では正の屈折力を有するメニスカスレンズである第６レンズＬ６と、第７レンズＬ７と、反射光学素子である第２プリズムＰＳ２と、正の屈折力を有するＰ２レンズである第８レンズＬ８とからなる。ＭＬは、撮像装置に備えられた主レンズである。又、Ｓは第３レンズＬ３の主レンズ側に設けられた開口絞り、ＩＭは撮像装置の撮像面を示す。なお、第１レンズＬ１〜第６レンズＬ６が対物部であり、第７レンズＬ７〜第８レンズＬ８がリレー部である。また、ＣＧ１〜ＣＧ４は、カバーガラス、光学的ローパスフィルタやＩＲカットフィルタ、固体撮像素子のシールガラス等を想定した平行平板を示す。なお、第28面は主レンズの開口絞りである。
【００７１】
［表６］
"実施例6"
面番号  R(mm)   d(mm)   nd         νd
1       ∞      0.79    1.51633     64.2 
2       ∞      0.50        
3       21.475  0.90    1.72916     54.7 
4       -29.111 0.20        
5       4.341   0.99    1.72916     54.7 
6       4.970   0.79        
7       -24.328 0.50    1.92286     20.9 
8       15.323  0.20        
9(絞り) ∞      4.86        
10      ∞      5.19    1.84666     23.8 
11      ∞      0.43        
12      10.705  2.20    1.92286     20.9 
13      -15.987 0.62        
14*     -33.732 1.67    1.63469     23.9 
15*     6.677   3.04        
16*     -3.329  2.60    1.54470     56.2 
17*     -7.257  3.38        
18*     12.089  2.80    1.54470     56.2 
19*     -5.940  0.15        
20      ∞      7.26    1.84666     23.8 
21      ∞      0.15        
22*     5.657   1.51    1.54470     56.2 
23*    -261.053 0.20        
24      ∞      0.79    1.84666     23.8 
25      ∞      0.64        
26      ∞      0.79    1.51633     64.1 
27      ∞      1.23        
28      ∞      0.05        
29      ∞     -0.24       
30*     1.676   0.63    1.54470     56.2 
31*     -13.857 0.05        
32*     4.012   0.28    1.63469     23.9 
33*     1.559   0.57        
34*     -36.876 0.31    1.63469     23.9 
35*     -35.075 0.42        
36*     -6.434  0.86    1.54470     56.2 
37*     -0.965  0.23        
38*     -2.637  0.45    1.53048     55.7 
39*     1.582   0.64        
40      ∞      0.30    1.51633     64.1 
41      ∞      0.42        
像
非球面係数              
テレコンバータレンズ                
s   第14面      第15面      第16面    第17面
K   0.000        0.000       -0.512      0.647 
A4  -1.7198E-03 -9.3902E-04 -7.2833E-03 -8.0963E-03
A6  5.4215E-04  1.2408E-03   1.1598E-03  4.1891E-04
A8  -7.8646E-05 -5.5624E-05  8.4621E-05  -1.5003E-05
A10 3.0380E-06   3.7000E-06  -6.5701E-06  5.8669E-07
s   第18面      第19面     第22面     第23面
K   1.549        0.562       -0.016      -17.000 
A4  3.0294E-03  6.5283E-03  4.9528E-03  1.3078E-03
A6  -2.8771E-04 -4.4309E-04 -6.2730E-04 -2.9272E-04
A8  2.8280E-06  1.1148E-05  7.5364E-05  3.1038E-05
A10 4.9031E-07  1.1373E-06  -2.9259E-06 2.2478E-06
A12 -7.6887E-09 -9.0344E-08 -6.9789E-07 -1.8105E-06
A14 -6.3287E-10  1.8926E-09  6.3465E-08  1.8571E-07
主レンズ                    
s   第30面     第31面     第32面     第33面      第34面
K   -0.025      -29.823     -30.000     -6.295      30.000 
A4  5.4737E-03  2.9864E-02  -4.4484E-02 4.7985E-02  -1.2218E-01
A6  1.8802E-03  3.6878E-02  1.4564E-01  5.1872E-02  -2.6536E-02
A8  -3.1928E-03 -4.3208E-02 -1.2728E-01 -1.8852E-02  6.2354E-02
A10 1.7037E-02  -2.3999E-02 -3.2604E-02 -6.3501E-03  2.0372E-02
A12 -2.1868E-02  2.7062E-02  7.7790E-02  -4.1075E-03 -1.8554E-02
A14 8.4210E-03             -1.8876E-02   2.2070E-02  -6.3386E-04
s   第35面      第36面      第37面     第38面     第39面
K   30.000       7.826       -4.059      -30.000     -12.523 
A4  -1.0027E-01 -3.7724E-04 -4.3185E-02 -1.4223E-02 -3.6784E-02
A6  3.0627E-03  2.0421E-02  5.1578E-02  -1.5539E-03 7.2592E-03
A8  1.9106E-02  -1.1047E-03 -1.1842E-02 2.1085E-03  -1.4441E-03
A10 1.6054E-02  -1.6207E-03 6.5318E-04  -1.9864E-04 1.4444E-04
A12 -2.2771E-03 2.6445E-04  1.9046E-05  -2.5376E-05 -5.0337E-06
A14 -2.7944E-03                          2.8800E-06  3.2341E-08
テレコンバータレンズと主レンズの合成光学系における値                
焦点距離    16.43mm
Fナンバー   4.50
半画角      10.3゜
像高        3.02mm 
レンズ全長  48.06mm
バックフォーカス    1.26mm
(ただし、レンズ全長は第1レンズ被写体側面から主レンズ近軸像点までの距離)
主レンズの焦点距離  4.33mm
コンバータ倍率      3.79    
【００７２】
図１５は実施例６の収差図（球面収差（ａ）、非点収差（ｂ）、歪曲収差（ｃ））である。収差図はコンバータレンズと主レンズを組み合わせた状態のものであり、本実施例は図２０に示す収差特性を有する主レンズと組み合わされている。
【００７３】
第１レンズと第２レンズを一体に光軸方向に移動させることによって、無限遠から有限距離への合焦を行うことが出来る。ただし、レンズ移動によりピントが変化するのであれば、前記第１レンズと第２レンズ以外のレンズ群移動であっても良い。又、実施例６のテレコンバータレンズでは、倍率が３．７９であり、１次結像点位置は第６レンズＬ６の主レンズ側面より主レンズ側に、１．５６ｍｍの位置である（近軸値）。
【００７４】
（実施例７）
実施例７のレンズデータを表７に示す。図１６は、実施例７の撮像光学系の断面図である。テレコンバータレンズＣＬは、被写体側から順に、正の屈折力を有する第１レンズ群ＧＲ１、負の屈折力を有する第２レンズ群ＧＲ２，及びその他のレンズ群を有する。具体的には、テレコンバータＣＬは、第１レンズ群ＧＲ１を構成する正の屈折力を有する第１レンズＬ１及び正の屈折力を有する第２レンズＬ２と、第３レンズ群ＧＲ３を構成する負の屈折力を有する第３レンズＬ３と、反射光学素子である第１プリズムＰＳ１と、正の屈折力を有するＰ１レンズである第４レンズＬ４と、負の屈折力を有する第５レンズＬ５と、被写体側に凹面を向け近軸領域では負の屈折力を持ち光軸から離れた場所では正の屈折力を有するメニスカスレンズである第６レンズＬ６と、第７レンズＬ７と、反射光学素子である第２プリズムＰＳ２と、正の屈折力を有するＰ２レンズである第８レンズＬ８とからなる。ＭＬは、撮像装置に備えられた主レンズである。又、Ｓは第３レンズＬ３の主レンズ側に設けられた開口絞り、ＩＭは撮像装置の撮像面を示す。なお、第１レンズＬ１〜第６レンズＬ６が対物部であり、第７レンズＬ７〜第８レンズＬ８がリレー部である。また、ＣＧ１〜ＣＧ４は、カバーガラス、光学的ローパスフィルタやＩＲカットフィルタ、固体撮像素子のシールガラス等を想定した平行平板を示す。なお、第28面は主レンズの開口絞りである。
【００７５】
［表７］
"実施例7"
面番号  R(mm)   d(mm)   nd         νd
1       ∞      0.79    1.51633     64.2 
2       ∞      0.50        
3       15.166  3.57    1.72916     54.7 
4       26.446  7.62        
5       3.896   1.09    1.72916     54.7 
6       15.649  0.45        
7       -45.507 0.55    1.92286     20.9 
8       3.927   0.34        
9(絞り) ∞      0.95        
10      ∞      4.43    1.84666     23.8 
11      ∞      0.63        
12      17.412  2.55    1.92286     20.9 
13      -7.516  1.04        
14*     -99.000 3.00    1.63469     23.9 
15*     6.360   2.82        
16*     -2.874  2.60    1.54470     56.2 
17*     -5.416  3.50        
18*     13.361  2.85    1.54470     56.2 
19*     -6.231  0.15        
20      ∞      7.28    1.84666     23.8 
21      ∞      0.15        
22*     6.728   1.70    1.54470     56.2 
23*     -31.583 0.20        
24      ∞      0.79    1.84666     23.8 
25      ∞      0.64        
26      ∞      0.79    1.51633     64.1 
27      ∞      1.23        
28      ∞      0.05        
29      ∞     -0.24       
30*     1.676   0.63    1.54470     56.2 
31*     -13.857 0.05        
32*     4.012   0.28    1.63469     23.9 
33*     1.559   0.57        
34*     -36.876 0.31    1.63469     23.9 
35*     -35.075 0.42        
36*     -6.434  0.86    1.54470     56.2 
37*     -0.965  0.23        
38*     -2.637  0.45    1.53048     55.7 
39*     1.582   0.64        
40      ∞      0.30    1.51633     64.1 
41      ∞      0.41        
像
非球面係数              
テレコンバータレンズ                
s   第14面     第15面      第16面     第17面
K   0.000        0.000       -0.645     -0.106 
A4  -2.2727E-03 -8.9145E-04 -4.1565E-03 -8.3517E-03
A6  3.0752E-04  1.1934E-03  1.2027E-03  4.7653E-04
A8  -7.1788E-05 -6.6537E-05 7.9177E-05  -1.6303E-05
A10 3.3338E-06  3.6030E-06  -7.0520E-06  5.3534E-07
s   第18面      第19面     第22面     第23面
K   4.175        0.793       0.794      -17.000 
A4  4.0196E-03  6.0457E-03  6.1902E-03  4.2963E-03
A6  -3.3514E-04 -4.1332E-04 -6.4664E-04 -4.6295E-04
A8  1.1154E-06  1.0229E-05  7.0902E-05  1.3842E-05
A10 4.4730E-07  1.0296E-06  -2.1378E-06 4.1442E-06
A12 3.0052E-09  -8.2815E-08 -5.8711E-07 -1.0444E-06
A14 -8.8655E-10  1.8148E-09  5.4110E-08  1.0004E-07
主レンズ                    
s   第30面      第31面     第32面      第33面     第34面
K   -0.025       -29.823     -30.000     -6.295       30.000 
A4  5.4737E-03  2.9864E-02  -4.4484E-02  4.7985E-02  -1.2218E-01
A6  1.8802E-03  3.6878E-02  1.4564E-01   5.1872E-02  -2.6536E-02
A8  -3.1928E-03 -4.3208E-02 -1.2728E-01 -1.8852E-02  6.2354E-02
A10 1.7037E-02  -2.3999E-02 -3.2604E-02 -6.3501E-03  2.0372E-02
A12 -2.1868E-02 2.7062E-02  7.7790E-02  -4.1075E-03 -1.8554E-02
A14 8.4210E-03              -1.8876E-02  2.2070E-02  -6.3386E-04
s   第35面      第36面     第37面      第38面     第39面
K   30.000       7.826      -4.059      -30.000     -12.523 
A4  -1.0027E-01 -3.7724E-04 -4.3185E-02 -1.4223E-02 -3.6784E-02
A6  3.0627E-03  2.0421E-02  5.1578E-02  -1.5539E-03  7.2592E-03
A8  1.9106E-02  -1.1047E-03 -1.1842E-02  2.1085E-03 -1.4441E-03
A10 1.6054E-02  -1.6207E-03  6.5318E-04  -1.9864E-04  1.4444E-04
A12 -2.2771E-03  2.6445E-04  1.9046E-05 -2.5376E-05 -5.0337E-06
A14 -2.7944E-03                          2.8800E-06  3.2341E-08
テレコンバータレンズと主レンズの合成光学系における値                
焦点距離    17.05mm
Fナンバー   4.50
半画角       9.9゜
像高         3.02mm
レンズ全長  55.87mm
バックフォーカス    1.25mm
(ただし、レンズ全長は第1レンズ被写体側面から主レンズ近軸像点までの距離)
主レンズの焦点距離  4.33mm
コンバータ倍率      3.94    
【００７６】
図１７は実施例７の収差図（球面収差（ａ）、非点収差（ｂ）、歪曲収差（ｃ））である。収差図はコンバータレンズと主レンズを組み合わせた状態のものであり、本実施例は図２０に示す収差特性を有する主レンズと組み合わされている。
【００７７】
第１レンズと第２レンズを一体に光軸方向に移動させることによって、無限遠から有限距離への合焦を行うことが出来る。ただし、レンズ移動によりピントが変化するのであれば、前記第１レンズと第２レンズ以外のレンズ群移動であっても良い。又、実施例７のテレコンバータレンズでは、倍率が３．９４であり、１次結像点位置は第６レンズＬ６の主レンズ側面より主レンズ側に、１．６３ｍｍの位置である（近軸値）。
【００７８】
（実施例８）
実施例８のレンズデータを表８に示す。図１８は、実施例８の撮像光学系の断面図である。テレコンバータレンズＣＬは、被写体側から順に、正の屈折力を有する第１レンズ群ＧＲ１、負の屈折力を有する第２レンズ群ＧＲ２，及びその他のレンズ群を有する。具体的には、テレコンバータＣＬは、第１レンズ群ＧＲ１を構成する正の屈折力を有する第１レンズＬ１及び正の屈折力を有する第２レンズＬ２と、第３レンズ群ＧＲ３を構成する負の屈折力を有する第３レンズＬ３と、反射光学素子である第１プリズムＰＳ１と、正の屈折力を有するＰ１レンズである第４レンズＬ４と、負の屈折力を有する第５レンズＬ５と、被写体側に凹面を向け近軸領域では負の屈折力を持ち光軸から離れた場所では正の屈折力を有するメニスカスレンズである第６レンズＬ６と、第７レンズＬ７と、反射光学素子である第２プリズムＰＳ２と、正の屈折力を有するＰ２レンズである第８レンズＬ８とからなる。ＭＬは、撮像装置に備えられた主レンズである。又、Ｓは第１プリズムＰＳ１の被写体側に設けられた開口絞り、ＩＭは撮像装置の撮像面を示す。なお、第１レンズＬ１〜第６レンズＬ６が対物部であり、第７レンズＬ７〜第８レンズＬ８がリレー部である。
また、ＣＧ１〜ＣＧ４は、カバーガラス、光学的ローパスフィルタやＩＲカットフィルタ、固体撮像素子のシールガラス等を想定した平行平板を示す。なお、第28面は主レンズの開口絞りである。
【００７９】
［表８］
"実施例8"
面番号  R(mm)   d(mm)   nd         νd
1       ∞      0.79    1.51633     64.2 
2       ∞      0.50        
3       16.653  3.00    1.62572     59.0 
4       80.942  1.60        
5       9.162   1.17    1.59791     60.6 
6       11.187  1.70        
7       -19.204 1.50    1.91303     21.1 
8       68.606  8.95        
9(絞り) ∞      1.63        
10      ∞      5.05    1.84666     23.8 
11      ∞      4.41        
12      8.490   2.55    1.88278     40.8 
13      -32.675 1.86        
14*     -98.401 2.87    1.63469     23.9 
15*     5.638   3.06        
16*     -3.605  2.60    1.54470     56.2 
17*     -6.258  3.84        
18*     24.741  2.85    1.54470     56.2 
19*     -6.044  0.15        
20      ∞      7.44    1.84666     23.8 
21      ∞      0.15        
22*     7.918   1.64    1.54470     56.2 
23*     -23.784 0.32        
24      ∞      0.79    1.84666     23.8 
25      ∞      0.64        
26      ∞      0.79    1.51633     64.1 
27      ∞      1.23        
28      ∞      0.05        
29      ∞     -0.24       
30*     1.676   0.63    1.54470     56.2 
31*     -13.857 0.05        
32*     4.012   0.28    1.63469     23.9 
33*     1.559   0.57        
34*     -36.876 0.31    1.63469     23.9 
35*     -35.075 0.42        
36*     -6.434  0.86    1.54470     56.2 
37*     -0.965  0.23        
38*     -2.637  0.45    1.53048     55.7 
39*     1.582   0.64        
40      ∞      0.30    1.51633     64.1 
41      ∞      0.40        
像 
非球面係数              
テレコンバータレンズ                
s   第14面      第15面     第16面    第17面
K   0.000        0.000       -0.607      -0.375 
A4  -2.4442E-03 -4.6643E-03 -7.9859E-03 -7.2194E-03
A6  2.3604E-04  1.0484E-03  1.0262E-03   3.7811E-04
A8  -2.3568E-05 -8.7575E-05 6.4478E-05  -8.2593E-06
A10 8.3739E-07  6.3986E-06  -4.6120E-06  4.6386E-07
s   第18面      第19面     第22面     第23面
K   -17.000      0.643       1.542      -16.997 
A4  6.7478E-03  7.0171E-03  7.6872E-03  5.4900E-03
A6  -4.6391E-04 -4.7249E-04 -7.9627E-04 -5.1801E-04
A8  2.2370E-06  1.0015E-05  8.7656E-05  1.8265E-06
A10 6.2782E-07  1.1976E-06  -2.6190E-06 7.3140E-06
A12 -9.7853E-13 -8.6678E-08 -7.4235E-07 -7.2629E-07
A14 -8.8366E-10  1.7788E-09  8.2881E-08  7.5081E-08
主レンズ                    
s   第30面     第31面      第32面     第33面     第34面
K   -0.025     -29.823      -30.000      -6.295       30.000 
A4  5.4737E-03  2.9864E-02  -4.4484E-02 4.7985E-02  -1.2218E-01
A6  1.8802E-03  3.6878E-02  1.4564E-01  5.1872E-02  -2.6536E-02
A8  -3.1928E-03 -4.3208E-02 -1.2728E-01 -1.8852E-02 6.2354E-02
A10 1.7037E-02  -2.3999E-02 -3.2604E-02 -6.3501E-03 2.0372E-02
A12 -2.1868E-02 2.7062E-02  7.7790E-02  -4.1075E-03 -1.8554E-02
A14 8.4210E-03             -1.8876E-02   2.2070E-02  -6.3386E-04
s   第35面      第36面       第37面     第38面     第39面
K   30.000       7.826         -4.059      -30.000     -12.523 
A4  -1.0027E-01 -3.7724E-04 -4.3185E-02 -1.4223E-02  -3.6784E-02
A6  3.0627E-03  2.0421E-02   5.1578E-02  -1.5539E-03  7.2592E-03
A8  1.9106E-02  -1.1047E-03 -1.1842E-02  2.1085E-03  -1.4441E-03
A10 1.6054E-02  -1.6207E-03  6.5318E-04  -1.9864E-04  1.4444E-04
A12 -2.2771E-03  2.6445E-04   1.9046E-05  -2.5376E-05 -5.0337E-06
A14 -2.7944E-03                           2.8800E-06  3.2341E-08
テレコンバータレンズと主レンズの合成光学系における値                
焦点距離    15.16mm 
Fナンバー   4.50            
半画角      11.4゜
像高        3.02mm
レンズ全長  66.74mm
バックフォーカス    1.25mm
(ただし、レンズ全長は第1レンズ被写体側面から主レンズ近軸像点までの距離)
主レンズの焦点距離  4.33mm
コンバータ倍率      3.50    
【００８０】
図１９は実施例８の収差図（球面収差（ａ）、非点収差（ｂ）、歪曲収差（ｃ））である。収差図はコンバータレンズと主レンズを組み合わせた状態のものであり、本実施例は図２０に示す収差特性を有する主レンズと組み合わされている。
【００８１】
第１レンズと第２レンズを一体に光軸方向に移動させることによって、無限遠から有限距離への合焦を行うことが出来る。ただし、レンズ移動によりピントが変化するのであれば、前記第１レンズと第２レンズ以外のレンズ群移動であっても良い。又、実施例７のテレコンバータレンズでは、倍率が３．５０であり、１次結像点位置は第６レンズＬ６の主レンズ側面より主レンズ側に、１．７０ｍｍの位置である（近軸値）。
【００８２】
各条件式に対応する各実施例の値を表９に示す。
【００８３】
【表９】
2013133053.tif 000004
【産業上の利用可能性】
【００８４】
本発明は、明細書に記載の実施形態や実施例に限定されるものではなく、他の実施例・変形例を含むことは、本明細書に記載された実施形態や実施例や技術思想から本分野の当業者にとって明らかである。例えば、実質的にパワーを持たないダミーレンズを更に付与した場合でも本発明の適用範囲内である。
【符号の説明】
【００８５】
ＢＤ ボディ
ＢＸ 筐体
ＣＬ コンバータレンズ
ＭＬ 主レンズ
ＳＦ 携帯端末
【図１】
2013133053.tif 000005
【図２】
2013133053.tif 000006
【図３】
2013133053.tif 000007
【図４】
2013133053.tif 000008
【図５】
2013133053.tif 000009
【図６】
2013133053.tif 000010
【図７】
2013133053.tif 000011
【図８】
2013133053.tif 000012
【図９】
2013133053.tif 000013
【図１０】
2013133053.tif 000014
【図１１】
2013133053.tif 000015
【図１２】
2013133053.tif 000016
【図１３】
2013133053.tif 000017
【図１４】
2013133053.tif 000018
【図１５】
2013133053.tif 000019
【図１６】
2013133053.tif 000020
【図１７】
2013133053.tif 000021
【図１８】
2013133053.tif 000022
【図１９】
2013133053.tif 000023
【図２０】
2013133053.tif 000024
【国際調査報告】
2013133053.tif 000025
2013133053.tif 000026
2013133053.tif 000027
2013133053.tif 000028